(57)【要約】【課題】電池電源と外部電源に対応した記録装置で、電源環境が容易に変化しうる環境下でも、確実に予約記録を実行する。【解決手段】テレビ放送を受信し、任意のチャンネルを選局してビデオ信号を得るチューナ２１、映像増幅回路２３と、ビデオ信号を録画するＭＰＥＧ回路２９、メモリカード１７と、現在時刻を計時する計時部２８と、テレビ放送の録画を予約すると、その時点で外部電源による電源供給があるか否かを判断し、外部電源による電源供給がないと判断した場合に外部電源の接続を促す警告を表示部３  にて例えば文字メッセージで発し、その警告後に外部電源による電源供給がなされると予約された録画の待機状態に移行する制御部２２とを備える。【選択図】    図２
2004364117.tif 000002
【特許請求の範囲】
【請求項１】
電池電源と外部電源に対応した記録装置であって、
画像データを取得する画像データ取得手段と、
この画像データ取得手段で取得された画像データを記録する記録手段と、
この記録手段による画像データの記録を予約する記録予約手段と、
この記録予約手段で記録が予約された時点で上記外部電源による電源供給があるか否かを判断する判断手段と、
この判断手段で上記外部電源による電源供給がないと判断した場合に外部電源の接続を促す警告を発する電源警告手段と、
この電源警告手段での警告後に上記外部電源による電源供給がなされた場合にこれを判断し、上記記録予約手段で予約された記録の待機状態に移行する予約記録制御手段と
を具備したことを特徴とする記録装置。
【請求項２】
電池電源と外部電源に対応した記録装置であって、
画像データを取得する画像データ取得手段と、
この画像データ取得手段で取得された画像データを記録する記録手段と、
この記録手段による画像データの記録を予約する記録予約手段と、
この記録予約手段で記録が予約され、上記外部電源による電源供給があることを確認した上で記録の待機状態に移行する予約記録制御手段と、
この予約記録制御手段による記録の待機状態で上記外部電源による電源供給が途絶えた時点でこれを判断する判断手段と、
この判断手段で上記外部電源による電源供給が途絶えたと判断した場合に外部電源の接続を促す警告を発する電源警告手段と、
この電源警告手段での警告後に上記外部電源による電源供給がなされた場合にこれを判断し、上記予約記録制御手段による記録待機状態に復帰する予約復帰制御手段と
を具備したことを特徴とする記録装置。
【請求項３】
電池電源と外部電源に対応した記録装置の電源制御方法であって、
画像データの記録を予約する記録予約工程と、
この記録予約工程で記録が予約された時点で上記外部電源による電源供給があるか否かを判断する判断工程と、
この判断工程で上記外部電源による電源供給がないと判断した場合に外部電源の接続を促す警告を発する電源警告工程と、
この電源警告工程での警告後に上記外部電源による電源供給がなされた場合にこれを判断し、上記記録予約工程で予約された記録の待機状態に移行する予約記録制御工程と
を有したことを特徴とする記録装置の電源制御方法。
【請求項４】
電池電源と外部電源に対応した記録装置の電源制御方法であって、
画像データの記録を予約する記録予約工程と、
この記録予約工程で記録が予約され、上記外部電源による電源供給があることを確認した上で記録の待機状態に移行する予約記録制御工程と、
この予約記録制御工程による記録の待機状態で上記外部電源による電源供給が途絶えた時点でこれを判断する判断工程と、
この判断工程で上記外部電源による電源供給が途絶えたと判断した場合に外部電源の接続を促す警告を発する電源警告工程と、
この電源警告工程での警告後に上記外部電源による電源供給がなされた場合にこれを判断し、上記予約記録制御工程による記録の待機状態に復帰する予約復帰制御工程と
を有したことを特徴とする記録装置の電源制御方法。
【請求項５】
電池電源と外部電源に対応した記録装置に内蔵されたコンピュータが実行するプログラムであって、
画像データの記録を予約する記録予約ステップと、
この記録予約ステップで記録が予約された時点で上記外部電源による電源供給があるか否かを判断する判断ステップと、
この判断ステップで上記外部電源による電源供給がないと判断した場合に外部電源の接続を促す警告を発する電源警告ステップと、
この電源警告ステップでの警告後に上記外部電源による電源供給がなされた場合にこれを判断し、上記記録予約ステップで予約された記録の待機状態に移行する予約記録制御ステップと
をコンピュータに実行させることを特徴とするプログラム。
【請求項６】
電池電源と外部電源に対応した記録装置に内蔵されたコンピュータが実行するプログラムであって、
画像データの記録を予約する記録予約ステップと、
この記録予約ステップで記録が予約され、上記外部電源による電源供給があることを確認した上で記録の待機状態に移行する予約記録制御ステップと、
この予約記録制御ステップによる記録の待機状態で上記外部電源による電源供給が途絶えた時点でこれを判断する判断ステップと、
この判断ステップで上記外部電源による電源供給が途絶えたと判断した場合に外部電源の接続を促す警告を発する電源警告ステップと、
この電源警告ステップでの警告後に上記外部電源による電源供給がなされた場合にこれを判断し、上記予約記録制御ステップによる記録の待機状態に復帰する予約復帰制御ステップと
をコンピュータに実行させることを特徴とするプログラム。
【発明の詳細な説明】
【０００１】
【発明の属する技術分野】
本発明は、携帯テレビ受像機等に好適な記録装置、記録装置の電源制御方法及びプログラムに関する。
【０００２】
【従来の技術】
記録装置として予約録画機能を有するビデオテープレコーダで、録画予約設定時にテープ残量時間を演算することで、予約番組のすべてが記録できない状況の発生を回避するようにしたものが考えられている。（例えば、特許文献１参照。）
【０００３】
【特許文献１】
特開平０５−１５１６４７号公報
【０００４】
【発明が解決しようとする課題】
上記特許文献１に記載した技術は、常時ＡＣ電源が供給されている、所謂「据置き」型の機器を対象としたものであり、予約した内容がテープ残量に対応する時間を越えているか否かを唯一の判断材料としている。
【０００５】
したがって、電源環境が安定していない携帯型のビデオ録画機器を想定した場合には、予約録画に際して、まず電源をしっかり確保することが肝要であり、その点が上記特許文献１の技術では考慮されていない。
【０００６】
本発明は上記のような実情に鑑みてなされたもので、その目的とするところは、電源環境が容易に変化しうる環境下でも、確実に予約録画を実行することが可能な携帯テレビ録画装置、携帯テレビ録画装置の電源制御方法及びプログラムを提供することにある。
【０００７】
【課題を解決するための手段】
請求項１記載の発明は、電池電源と外部電源に対応した記録装置であって、画像データを取得する画像データ取得手段と、この画像データ取得手段で取得された画像データを記録する記録手段と、この記録手段による画像データの記録を予約する記録予約手段と、この記録予約手段で記録が予約された時点で上記外部電源による電源供給があるか否かを判断する判断手段と、この判断手段で上記外部電源による電源供給がないと判断した場合に外部電源の接続を促す警告を発する電源警告手段と、この電源警告手段での警告後に上記外部電源による電源供給がなされた場合にこれを判断し、上記記録予約手段で予約された記録の待機状態に移行する予約記録制御手段とを具備したことを特徴とする。
【０００８】
このような構成とすれば、記録予約の入力設定時に外部電源による電源供給がなされていない場合にこれを警告してユーザに報知し、外部電源による電源供給がなされてから予約された記録の待機状態に移行するようにしたため、電池電源のまま予約記録の待機状態に移行してしまうようなことを確実に回避できる。
【０００９】
請求項２記載の発明は、電池電源と外部電源に対応した記録装置であって、画像データを取得する画像データ取得手段と、この画像データ取得手段で取得された画像データを記録する記録手段と、この記録手段による画像データの記録を予約する記録予約手段と、この記録予約手段で記録が予約され、上記外部電源による電源供給があることを確認した上で記録の待機状態に移行する予約記録制御手段と、この予約記録制御手段による記録の待機状態で上記外部電源による電源供給が途絶えた時点でこれを判断する判断手段と、この判断手段で上記外部電源による電源供給が途絶えたと判断した場合に外部電源の接続を促す警告を発する電源警告手段と、この電源警告手段での警告後に上記外部電源による電源供給がなされた場合にこれを判断し、上記予約記録制御手段による記録待機状態に復帰する予約復帰制御手段とを具備したことを特徴とする。
【００１０】
このような構成とすれば、記録予約の待機状態で外部電源との接続が途絶えてしまった場合にこれを警告してユーザに報知し、外部電源による電源供給がなされてから記録の待機状態に復帰するようにしたため、待機状態で例えば外部電源との接続が誤って外れてしまった場合などでも、そのまま電池電源による電源供給の状態で予約記録の待機状態に移行してしまうようなことを確実に回避できる。
【００１１】
請求項３記載の発明は、電池電源と外部電源に対応した記録装置の電源制御方法であって、画像データの記録を予約する記録予約工程と、この記録予約工程で記録が予約された時点で上記外部電源による電源供給があるか否かを判断する判断工程と、この判断工程で上記外部電源による電源供給がないと判断した場合に外部電源の接続を促す警告を発する電源警告工程と、この電源警告工程での警告後に上記外部電源による電源供給がなされた場合にこれを判断し、上記記録予約工程で予約された記録の待機状態に移行する予約記録制御工程とを有したことを特徴とする。
【００１２】
このような方法とすれば、記録予約の入力設定時に外部電源による電源供給がなされていない場合にこれを警告してユーザに報知し、外部電源による電源供給がなされてから予約された記録の待機状態に移行するようにしたため、電池電源のまま予約記録の待機状態に移行してしまうようなことを確実に回避できる。
【００１３】
請求項４記載の発明は、電池電源と外部電源に対応した記録装置の電源制御方法であって、画像データの記録を予約する記録予約工程と、この記録予約工程で記録が予約され、上記外部電源による電源供給があることを確認した上で記録の待機状態に移行する予約記録制御工程と、この予約記録制御工程による記録の待機状態で上記外部電源による電源供給が途絶えた時点でこれを判断する判断工程と、この判断工程で上記外部電源による電源供給が途絶えたと判断した場合に外部電源の接続を促す警告を発する電源警告工程と、この電源警告工程での警告後に上記外部電源による電源供給がなされた場合にこれを判断し、上記予約記録制御工程による記録の待機状態に復帰する予約復帰制御工程とを有したことを特徴とする。
【００１４】
このような方法とすれば、記録予約の待機状態で外部電源との接続が途絶えてしまった場合にこれを警告してユーザに報知し、外部電源による電源供給がなされてから記録の待機状態に復帰するようにしたため、待機状態で例えば外部電源との接続が誤って外れてしまった場合などでも、そのまま電池電源による電源供給の状態で予約記録の待機状態に移行してしまうようなことを確実に回避できる。
【００１５】
請求項５記載の発明は、電池電源と外部電源に対応した記録装置に内蔵されたコンピュータが実行するプログラムであって、画像データの記録を予約する記録予約ステップと、この記録予約ステップで記録が予約された時点で上記外部電源による電源供給があるか否かを判断する判断ステップと、この判断ステップで上記外部電源による電源供給がないと判断した場合に外部電源の接続を促す警告を発する電源警告ステップと、この電源警告ステップでの警告後に上記外部電源による電源供給がなされた場合にこれを判断し、上記記録予約ステップで予約された記録の待機状態に移行する予約記録制御ステップとをコンピュータに実行させることを特徴とする。
【００１６】
このようなプログラム内容とすれば、記録予約の入力設定時に外部電源による電源供給がなされていない場合にこれを警告してユーザに報知し、外部電源による電源供給がなされてから予約された記録の待機状態に移行するようにしたため、電池電源のまま予約記録の待機状態に移行してしまうようなことを確実に回避できる。
【００１７】
請求項６記載の発明は、電池電源と外部電源に対応した記録装置に内蔵されたコンピュータが実行するプログラムであって、画像データの記録を予約する記録予約ステップと、この記録予約ステップで記録が予約され、上記外部電源による電源供給があることを確認した上で記録の待機状態に移行する予約記録制御ステップと、この予約記録制御ステップによる記録の待機状態で上記外部電源による電源供給が途絶えた時点でこれを判断する判断ステップと、この判断ステップで上記外部電源による電源供給が途絶えたと判断した場合に外部電源の接続を促す警告を発する電源警告ステップと、この電源警告ステップでの警告後に上記外部電源による電源供給がなされた場合にこれを判断し、上記予約記録制御ステップによる記録の待機状態に復帰する予約復帰制御ステップとをコンピュータに実行させることを特徴とする。
【００１８】
このようなプログラム内容とすれば、記録予約の待機状態で外部電源との接続が途絶えてしまった場合にこれを警告してユーザに報知し、外部電源による電源供給がなされてから記録の待機状態に復帰するようにしたため、待機状態で例えば外部電源との接続が誤って外れてしまった場合などでも、そのまま電池電源による電源供給の状態で予約記録の待機状態に移行してしまうようなことを確実に回避できる。
【００１９】
【発明の実施の形態】
以下本発明を記録装置としてポータブルテレビレコーダに適用した場合の実施の一形態について図面を参照して説明する。
【００２０】
図１は、同実施の形態に係るポータブルテレビレコーダ１の外観構成を示すもので、矩形厚板状の本体ボディ２を立てた状態で、その正面中央にバックライト付きのカラーＴＦＴ液晶パネルでなる表示部３が配設されると共に、その左側にはビデオ機能の「再生」「録画」「停止」「一時停止」「巻戻し」「早送り」を指示するビデオキー４とスピーカ部５とが配置される。
【００２１】
また、本体ボディ２正面の表示部３の右側には、リングキー６及び決定キー７と、「ＭＰ３」「録画予約」「取消」「機能」の各ファンクションキー８が配置される。
【００２２】
リングキー６は、例えばその左右方向にある「−」「＋」キーで受信チャンネルを選局指示する一方で、その上下方向にある「△」「▽」キーで上記スピーカ部５またはステレオジャック１５に接続されるヘッドホンでの音量を上下調整する。
【００２３】
決定キー７は、上記リングキー６の中央に位置し、メニュー項目等を選択している状態で操作することによりその選択している状態を決定する。
【００２４】
「ＭＰ３」キーは、このポータブルテレビレコーダ１を音楽レコーダ及びプレーヤとして使用する際に操作する。
【００２５】
「録画予約」キーは、録画予約の設定当初に操作する。
【００２６】
「取消」キーは、各種選択、指示状態を解除する。
【００２７】
「機能」キーは、上記以外の詳細な機能メニューを機能メニューの表示を指示する際に操作する。
【００２８】
さらに、上記ビデオキー４の上側、本体ボディ２の正面上端から上面にかけて「電源（ＰＷＲ）」「充電（ＣＨＧ）」「録画（ＲＥＣ）」の各状態時に点灯あるいは点滅発光するインジケータ部９が配置される。
【００２９】
加えて、本体ボディ２の上面には、電源をオン／オフするための電源キー１０と、ワンタッチで再生中の動画の位置を指定し、再度再生させるための「しおり」キー１１とが配置され、さらに上面後端から背面側にかけてヘリカルアンテナ１２が取付けられる。
【００３０】
このヘリカルアンテナ１２は、図中に矢印Ａで示すように水平面に沿って回動可能であり、表示部３を設けた本体ボディ２正面の向きを一定にしたままで、テレビジョン放送電波を最もよい状態で受信できるよう調整可能となる。
【００３１】
また、本体ボディ２の左側面には、外部アンテナ入力端子１３、ＡＶ入力端子１４、ヘッドホンを接続するステレオジャック１５、及びＡＣアダプタを接続するＤＣジャック１６を設ける。
【００３２】
さらに、図示はしないが本体ボディ２の右側面には、メモリカード１７を矢印Ｂに示す方向に挿入して格納するためのメモリカードスロットが設けられ、このメモリカードスロットに格納したメモリカード１７を記録媒体としてテレビジョン放送や音声等を記録（録画、録音）する。
【００３３】
次に図２により、上記ポータブルテレビレコーダ１の回路構成を示す。
【００３４】
同図で、ヘリカルアンテナ１２により受信されたテレビジョン放送のＲＦ信号はチューナ２１に供給される。
【００３５】
このチューナ２１は、制御部２２から指定されたチャンネル（周波数）を選択して中間周波信号に変換し、これをフィルタリングにより映像中間周波信号と音声中間周波信号とに分離するもので、映像中間周波信号を映像増幅回路２３へ、音声中間周波信号を音声検出回路２４へそれぞれ出力する。
【００３６】
映像増幅回路２３は、送られてきた映像中間周波信号を増幅した後に映像検波してビデオ信号とし、さらにビデオ信号に含まれる水平同期信号Ｈ−ＳＹＮＣ及び垂直同期信号Ｖ−ＳＹＮＣを分離する一方、ビデオ信号にクロマ処理を施してＲ，Ｇ，Ｂの３原色からなるクロマ信号を得るもので、分離した水平同期信号Ｈ−ＳＹＮＣ及び垂直同期信号Ｖ−ＳＹＮＣとクロマ信号とを映像出力回路２５へ出力する。
【００３７】
映像出力回路２５は、水平同期信号Ｈ−ＳＹＮＣ及び垂直同期信号Ｖ−ＳＹＮＣとクロマ信号とに基づいて、カラーＴＦＴ液晶表示パネルでなる上記表示部３を制御駆動し、テレビジョン画像を表示させる。
【００３８】
一方、音声検出回路２４は、チューナ２１からの音声中間周波信号を音声検波、ＦＭ復調して可聴周波数範囲の音声信号とし、音声増幅回路２６へ送出する。
【００３９】
音声増幅回路２６は、音声検出回路２４からの音声信号を制御部２２に指定される増幅率をもって音声増幅し、得た信号で上記スピーカ部５を拡声駆動してテレビジョン音声を放音させるか、あるいは上記ステレオジャック１５より出力する。
【００４０】
制御部２２は、ＣＰＵとその動作プログラムを記憶したＲＯＭ、ワークメモリとして動作する一方、後述する録画予約情報等を保持するＲＡＭなどにより構成され、キー入力部２７からのキー入力に対応してこのポータブルテレビレコーダ１全体の動作制御を行なうもので、他に計時部２８、上記メモリカード１７、ＭＰＥＧ回路２９、上記インジケータ部９、及び電源コントローラ３０が接続される。
【００４１】
キー入力部２７は、上記ビデオキー４、リングキー６、決定キー７、各ファンクションキー８、電源キー１０、及び「しおり」キー１１を有し、そのキー操作に伴う操作信号を直接上記制御部２２へ入力する。
【００４２】
計時部２８は、ポータブルテレビレコーダ１の電源のオン／オフに関係なく現在時刻を計時するもので、その時刻情報は制御部２２に読出される。
【００４３】
ＭＰＥＧ回路２９は、例えばＭＰＥＧ４規格に準拠し、標準モードで解像度：７２０×４８０ドット、フレームレート：３０フレーム／秒で記録時にビデオ信号を圧縮してメモリカード１７に記録させ、再生時にはメモリカード１７から読出される、圧縮されているビデオ信号を伸長する。
【００４４】
電源コントローラ３０は、上記ＤＣジャック１６に図示しないＡＣアダプタからの直流電圧が印加されている状態ではこのポータブルテレビレコーダ１内の各回路に該直流電圧による電力を供給する一方で、ＤＣジャック１６に図示しないＡＣアダプタからの直流電圧が印加されていない状態ではこのポータブルテレビレコーダ１が内蔵する電池電源の発生する電力を供給する。
【００４５】
次に上記実施の形態の動作について説明する。
【００４６】
図３及び図４は、上記ファンクションキー８中の「録画予約」キーを操作した場合に実行される処理の内容を示すもので、主として制御部２２がＲＯＭに記憶している動作プログラムに基づいて動作制御を実行する。
【００４７】
その処理当初には、まず録画予約のパターン、具体的には設定する時間帯及びチャンネルで「一回」だけ録画するのか、以後「毎日」録画するのか、または以後「毎週」同一の曜日に録画するのかを表示部３に表示されるガイドメッセージにしたがってリングキー６と決定キー７との操作により選択する（ステップＳ０１）。
【００４８】
その後、録画の開始時刻、終了時刻及びチャンネルをそれぞれ指定し（ステップＳ０２〜Ｓ０４）、最後に画質及び音質の相違により例えば「ファイン」「標準」「エコノミー」のいずれかのモードを選択する（ステップＳ０５）。
【００４９】
こうして選択されたモードと入力された時間範囲とにより、おおよそ必要な記録容量を概算することができるもので、制御部２２はメモリカード１７の空き容量をチェックした上で（ステップＳ０６）、設定された予約内容ですべて録画できるだけメモリカード１７に空き容量があるか否かを判断する（ステップＳ０７）。
【００５０】
ここで、空き容量が充分にある場合には問題ないが、空き容量が不足するものと考えられる場合には、表示部３で例えば
「メモリの残量が不足しています
メモリを差し替えるか、入力内容を変更して下さい」
のようなガイドメッセージを表示し、対処を促しながら（ステップＳ０８）、実際にメモリカード１７が差し替えられたか否か（ステップＳ０９）、再入力の指定があったか否か（ステップＳ１０）、を繰返し判断することで、これらの対処のいずれかがなされるのを待機する。
【００５１】
しかして、メモリカード１７が差し替えられて場合には、上記ステップＳ０９でこれを判断し、上記ステップＳ０６に進んで新たに差し替えられたメモリカード１７の空き容量をチェックする。
【００５２】
また、再入力の指定があった場合にはステップＳ１０でこれを判断し、再び上記ステップＳ０１の処理からやり直す。
【００５３】
しかして、上記ステップＳ０７で設定された予約内容ですべて録画できるだけメモリカード１７に空き容量があると判断した場合には、以上で１つの録画予約を終えたものとして、予約を終了するか否か、換言すればさらにまだ他の録画予約を行なうか否かを選択させる操作を促してその操作結果により判断する（ステップＳ１１）。
【００５４】
ここで、予約を終了せず、まだ他の録画予約を続行するとの操作がなされた場合には、再度上記ステップＳ０１からの処理に戻って、メモリカード１７の空き容量の範囲内で他の録画予約に関する処理を続行する。
【００５５】
そして、メモリカード１７の空き容量に記録できるだけの録画予約をすべて実行した後に予約を終了するとの操作がなされるとステップＳ１１でこれを判断し、それまでに録画予約された入力情報をすべて制御部２２内部に一括して保持設定した後に（ステップＳ１２）、その時点で上記ＤＣジャック１６にＡＣアダプタからの直流電圧が印加されているか否かを電源コントローラ３０からの信号により判断する（ステップＳ１３）。
【００５６】
ここでＤＣジャック１６にＡＣアダプタからの直流電圧が印加されていないと判断した場合には、このまま予約録画の状態に移行しても、電池電源のみで最後まで予約録画動作を実行し得るとは考えられないものとして、ＡＣアダプタの接続を促す警告メッセージを表示部３で表示しながら（ステップＳ１４）、実際にＤＣジャック１６にＡＣアダプタからの直流電圧が印加されたか否かを判断する（ステップＳ１５）、という処理を繰返し実行することにより、ＡＣアダプタからの電源供給がなされるのを待機する。
【００５７】
図５は、このとき表示部３でひしされる警告メッセージを例示するもので、ここでは、警告を表す大きな感嘆符「！」と共にメッセージ
「ＡＣアダプタを
接続してください」
と表示することにより、このポータブルテレビレコーダ１の録画予約を行なっているユーザに警告を発している。
【００５８】
しかして、ステップＳ１５でＤＣジャック１６にＡＣアダプタからの直流電圧が印加されたと判断するか、あるいは上記ステップＳ１３ではじめからＤＣジャック１６にＡＣアダプタからの直流電圧が印加されていると判断した場合には、あらためて録画予約の状態に移行するべく、必要な操作、例えば決定キー７あるいは電源キー１０の操作を促すメッセージを表示した上で（ステップＳ１６）、実際にそのキー操作がなされるのを待機する（ステップＳ１７）。
【００５９】
そして、上記ステップＳ１７で必要なキー操作がなされたと判断すると、予約録画の待機状態に移行し（ステップＳ１８）、以後上記ＤＣジャック１６にＡＣアダプタからの直流電圧が印加されているか否か（ステップＳ１９）、計時部２８の計時する現在の時刻が保持している予約録画の開始時刻となったか否か（ステップＳ２０）を繰返し判断しながら、予約録画の開始時刻となるのを待機する。
【００６０】
この予約録画の待機状態において、なんらかの事故等の発生によりＤＣジャック１６に接続されているＡＣアダプタが外れてしまった場合、あるいはそのＡＣアダプタ側のコンセントが外れてしまった場合などを含め、ＤＣジャック１６に印加されていた直流電圧が途絶えてしまった場合に上記ステップＳ１９でこれを判断し、次にその時点でＤＣジャック１６への直流電圧の印加が必要であるか否かを判断する（ステップＳ２１）。
【００６１】
これは、例えば予約録画で毎日または毎週の録画を予約している場合に、携帯使用が前提のポータブルテレビレコーダ１でＡＣアダプタの接続を外す度毎に警告メッセージが表示されてしまうのを防止するための判断であり、上記ステップＳ０１で選択した録画のパターンが毎日または毎週ではなく、１回だけの録画である予約がなされているか否か、及び、毎日または毎週の録画のパターンの録画予約がなされている場合で且つその初回の予約録画をまだ実行していないかどうかにより判断する。
【００６２】
しかして、ステップＳ２１でＤＣジャック１６への直流電圧の印加が必要であると判断すると、そのまま予約した開始時刻になって録画を実行したとしても、電池電源のみで最後まで予約録画動作を実行し得るとは考えられないものとして、ＡＣアダプタの接続を促す警告メッセージを表示部３で表示しながら（ステップＳ２２）、実際にＤＣジャック１６にＡＣアダプタからの直流電圧が印加されたか否かを判断する（ステップＳ２３）、という処理を繰返し実行することにより、ＡＣアダプタからの電源供給がなされるのを待機する。
【００６３】
図６は、このとき表示部３でひしされる警告メッセージを例示するもので、ここでは、警告を表す大きな感嘆符「！」と共にメッセージ
「ＡＣアダプタが
外れてしまいました
接続しなおしてください」
と表示することにより、このポータブルテレビレコーダ１の録画予約を行なっているユーザに警告を発している。
【００６４】
しかして、ステップＳ２３でＤＣジャック１６にＡＣアダプタからの直流電圧が印加されたと判断するか、あるいは上記ステップＳ２１でＤＣジャック１６への直流電圧の印加が必要ではないと判断した場合には、続いて上記ステップＳ２０に進み、再び予約された開始時刻となるまで予約録画の待機状態に復帰する。
【００６５】
その後、予約された開始時刻となった時点でステップＳ２０によりこれを判断すると、以後、選択された録画モード、チャンネルでの録画処理を実行しながら（ステップＳ２４）、今度は現在の時刻がその予約録画の終了時間となったか否かを判断する（ステップＳ２５）、という処理を繰返し実行することにより、予約録画処理を続行する。
【００６６】
そして、ステップＳ２５で終了時刻となったと判断した時点で予約録画の処理を停止し、１つの予約録画を完了したものとして、次に他にも予約録画した内容があるか否かを判断する（ステップＳ２６）。
【００６７】
ここで、まだ他にも予約録画した内容があると判断した場合には、再び上記ステップＳ１９からの処理に戻って、次の予約録画に備える待機状態に移行する。
【００６８】
一方、ステップＳ２６で他に予約録画した内容はないと判断すると、以上で予約録画に関する一切の処理を終了したものとし、それ以上の無駄な電力消費を避けるために電源を完全にオフする。
【００６９】
このように、予約録画の入力設定時にＡＣアダプタからの直流電圧の印加がＤＣジャック１６になされていない場合には、上記図５に例示した如く表示部３でこれを警告してユーザに報知し、ＡＣアダプタが正しく接続されるようにした。
【００７０】
これにより、ＡＣアダプタからの安定した、且つ電源容量を心配する必要がない電源供給状態を確保した上で予約録画の待機状態に移行するようにしたため、不安定な内蔵電池による電源供給状態のまま予約録画の待機状態に移行してしまうようなことを確実に回避できる。
【００７１】
加えて、一旦録画予約の待機状態となった後も、ＡＣアダプタとの接続が途絶え、ＤＣジャック１６に直流電圧が供給されなくなった場合に、上記図６に例示した如く表示部３でこれを警告してユーザに報知し、ＡＣアダプタが再度正しく接続されるようにした。
【００７２】
これにより、ＡＣアダプタからの安定した、且つ電源容量を心配する必要がない電源供給状態を取得してから予約録画の待機状態に復帰するようにしたため、待機状態でＤＣジャック１６へのＡＣアダプタの接続がなんらかの要因により外れてしまったとしても、これをユーザに警告することにより、接続が外れたままで予約録画の待機状態を続行してしまうようなことを回避できる。
【００７３】
なお、上記図６にも示したステップＳ２２でのメッセージ表示に際しては、併せてスピーカ部５よりアラーム音等を一定時間だけ、あるいは一定時間周期で間欠的に拡声出力するものとしてもよい。
【００７４】
なお、上記実施の形態は、本発明をポータブルテレビレコーダ１に適用した場合について説明したものであるが、本発明はこれに限らず、例えばテレビチューナを備えたノートブックタイプのパーソナルコンピュータなどにも容易に適用することが可能である。
【００７５】
さらにテレビチューナを備えていなくても、テレビ放送を受信するのではなくインターネットに接続し、ネット上で配信される画像データを記録するストリーミング放送にも適用することができる。
【００７６】
また、今後テレビ放送がデジタル放送になっても同様にデジタル放送が受信可能なチューナを備えたポータブルテレビレコーダやノートブックタイプのパーソナルコンピュータに適用できることは言うまでもない。
【００７７】
その他、本発明は上記実施の形態に限らず、その要旨を逸脱しない範囲内で種々変形して実施することが可能であるものとする。
【００７８】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００７９】
【発明の効果】
請求項１，３，５記載の発明によれば、記録予約の入力設定時に外部電源による電源供給がなされていない場合にこれを警告してユーザに報知し、外部電源による電源供給がなされてから予約された記録の待機状態に移行するようにしたため、電池電源のまま予約記録の待機状態に移行してしまうようなことを確実に回避できる。
【００８０】
請求項２，４，６記載の発明によれば、記録予約の待機状態で外部電源との接続が途絶えてしまった場合にこれを警告してユーザに報知し、外部電源による電源供給がなされてから記録の待機状態に復帰するようにしたため、待機状態で例えば外部電源との接続が誤って外れてしまった場合などでも、そのまま電池電源による電源供給の状態で予約記録の待機状態に移行してしまうようなことを確実に回避できる。
【図面の簡単な説明】
【図１】本発明の実施の一形態に係るポータブルテレビレコーダの外観構成を示す斜視図。
【図２】同実施の形態に係る電子回路の構成を示すブロック図。
【図３】同実施の形態に係る録画予約時の処理内容を示すフローチャート。
【図４】同実施の形態に係る録画予約時の処理内容を示すフローチャート。
【図５】同実施の形態に係る警告メッセージの表示画面を例示する図。
【図６】同実施の形態に係る警告メッセージの表示画面を例示する図。
【符号の説明】
１…ポータブルテレビレコーダ、２…本体ボディ、３…表示部、４…ビデオキー、５…スピーカ部、６…リングキー、７…決定キー、８…ファンクションキー、９…インジケータ部、１０…電源キー、１１…「しおり」キー、１２…ヘリカルアンテナ、１３…外部アンテナ入力端子、１４…ＡＶ入力端子、１５…ステレオジャック、１６…ＤＣジャック、１７…メモリカード、２１…チューナ、２２…制御部、２３…映像増幅回路、２４…音声検出回路、２５…映像出力回路、２６…音声増幅回路、２７…キー入力部、２８…計時部、２９…ＭＰＥＧ回路、３０…電源コントローラ。
【図１】
2004364117.tif 000003
【図２】
2004364117.tif 000004
【図３】
2004364117.tif 000005
【図４】
2004364117.tif 000006
【図５】
2004364117.tif 000007
【図６】
2004364117.tif 000008